(57)【特許請求の範囲】
【請求項１】
ブレーカを取付パネルに取り付けるためのブレーカ取付構造であって、
前記ブレーカに、前記取付パネルに設けられる嵌着部に嵌合可能な嵌合凸部と、ねじを挿入可能な挿入孔を有するねじ止め部と、前記嵌合凸部及び前記ねじ止め部を収納する収納部とを設けるとともに、前記嵌合凸部及び前記ねじ止め部をそれぞれ前記収納部から外方へと突出可能としており、
前記ブレーカを前記取付パネルに取り付ける際、前記取付パネルの態様に応じて、前記嵌合凸部又はねじ止め部のいずれかを選択して前記収納部から突出させて使用可能としたことを特徴とするブレーカ取付構造。
【請求項２】
ブレーカの端部に収納部を設けるとともに、該収納部内に、一方に嵌合凸部を、他方にねじ止め部を備えてなるブロック状の取付片を軸支し、
該取付片を回動させることによって、前記嵌合凸部及びねじ止め部のいずれか一方を選択して前記収納部から外方へと突出可能としたことを特徴とする請求項１に記載のブレーカ取付構造。
【請求項３】
前面側に二次側接続端子を備えるブレーカにあっては、
ブレーカの前面下端に嵌合凸部を突出可能に備える一方、
取付パネルの前端縁を下方へと湾曲させ、該取付パネルの湾曲部に窓部を開口するとともに、
嵌着部としての固定フックを、前記湾曲部に前記窓部から前方へと突出するように、且つ、前記嵌合凸部に嵌着する起立位置と、前記嵌合凸部との嵌着を解除する傾倒位置との間で回動自在に設け、さらに前記固定フックの軸部を前記湾曲部内面にて支持したことを特徴とする請求項１又は２に記載のブレーカ取付構造。
【発明の詳細な説明】
【技術分野】
【０００１】
本発明は、分電盤内に装着するブレーカの取付構造に関する。
【背景技術】
【０００２】
従来より、分電盤内においてブレーカを取付パネルへと固定するにあたっては、ねじを用いてブレーカを取付パネルに螺着する構造や、専用の弾性部材を利用して取り付ける構造が採用されている。また、ブレーカの一次側（電源接続側）がプラグ状に形成されているものにあっては、たとえば特許文献１に記載されているように、弾性を有する合成樹脂製の取付部材を用いてブレーカを取付パネルに取り付ける構造が一般的に採用されている。
【０００３】
【特許文献１】特開２００１−３２７００９号公報
【０００４】
ここで、従来のブレーカ取付構造について、図６及び７に基づき説明する。
図６（ａ）は、ねじ３５を利用した取付構造を示す説明図であって、ブレーカ３１の基部には係止凹部３２、３２が設けられている。一方、取付パネル３３には、ブレーカ３１の係止凹部３２、３２に係止する鉤状の係止爪３４、３４が突設されている。そして、各係止爪３４を係止凹部３２に係止させた状態で、一方の係止爪３４をねじ３５により締着することによってブレーカ３１を取付パネル３３に固定する。
尚、ねじを利用する取付構造としては、ブレーカにねじ孔を有する取付片を設け、該取付片を取付パネルに螺着してブレーカを固定するような構造もある。
【０００５】
図６（ｂ）は、専用の弾性部材３６を利用した取付構造を示す説明図であって、取付パネル３３に設けられる一方の係止爪３４を係止凸部を有する弾性部材３６としている。したがって、ブレーカ３１を上方から挿入すれば、弾性部材３６の係止凸部とブレーカ３１の係止凹部３２とが係止し、ブレーカ３１が取付パネル３３に固定される。
【０００６】
図７は、合成樹脂製の取付部材４８を利用した取付構造を示す説明図である。
ブレーカ４１の前面側には、嵌合凸部４２が一体的に突設されており、背面側には、係止凹部（図示せず）が設けられている。一方、取付パネル４３には、係止凹部に係止する鉤状の係止爪４４が一体的に突設されている。また、取付パネル４３の前端面には後述する取付部材４８を挿入可能な切り欠き４５が設けられており、該切り欠き４５には挿入された取付部材４８を保持する保持片４６、４６が下方へと突設されている。さらに、切り欠き４５の後方には、係止突起４７が下方へと突設されている。
【０００７】
取付部材４８は、弾性を有する合成樹脂により形成されたものであって、その先端には係止突起４７と係止する係止部４９が設けられており、基端にはブレーカ４１の嵌合凸部４２が嵌合可能な嵌合凹部５０が設けられている。
そして、ブレーカ４１の係止凹部に取付パネル４３の係止爪４４を係止させた状態で、切り欠き４５に取付部材４８を挿入する。そして、嵌合凸部４２を嵌合凹部５０に嵌合させるとともに、係止突起４７と係止部４９とを係止させて、ブレーカ４１を取付パネル４３に固定する。
【発明の開示】
【発明が解決しようとする課題】
【０００８】
しかしながら、ねじを利用してブレーカを取り付けるとなると、ねじの締め付け等に手間や時間がかかり、組立費のコストアップ等につながる。特に、分岐ブレーカのように回路数が多い場合は尚更である。
また、弾性部材を利用するとなると、取付パネルに対するブレーカの取り付け作業は簡単になるものの、取付パネルに専用の弾性部材を設置しなければならない。したがって、部品点数の増加や弾性部材の設置に係る手間等からコストアップとなる。さらに、専用の取付部材を用いるとなると、弾性部材を利用する場合と同様、部品点数の増加といった問題が生じる上、取付パネルに対して煩雑な加工を施さなければならない等といったように更なるコストアップが要求されることになる。さらにまた、合成樹脂製の取付部材に設けられた係止部とブレーカに設けられた係止突起との係止等によりブレーカを固定するため、ブレーカの取り付け後にガタつきが発生しやすいといった問題も抱えている。加えて、ガタつきが発生し、ねじによる固定に変更したい際には、ブレーカと取付パネルとの両方をねじ専用のものに交換しなければならない。したがって、取付パネルにブレーカを複数取り付けているような場合には、ガタつきが発生していないブレーカも含めてその全てを交換する必要があったり、交換したい箇所の取付パネルを煩雑な作業により切り取って交換する等極めて使い勝手が悪い。
【０００９】
そこで、本発明は、上記問題を解決すべくなされたものであって、ブレーカを簡単且つ確実に固定することができる上、コスト面においても有利で且つ合成樹脂製の部材同士の係合を利用した取り付け及びねじによる取り付けのどちらにも対応可能なブレーカ取付構造を提供しようとするものである。
【課題を解決するための手段】
【００１０】
上記目的を達成するために、本発明のうち請求項１に記載の発明は、ブレーカを取付パネルに取り付けるためのブレーカ取付構造であって、前記ブレーカに、前記取付パネルに設けられる嵌着部に嵌合可能な嵌合凸部と、ねじを挿入可能な挿入孔を有するねじ止め部と、前記嵌合凸部及び前記ねじ止め部を収納する収納部とを設けるとともに、前記嵌合凸部及び前記ねじ止め部をそれぞれ前記収納部から外方へと突出可能としており、前記ブレーカを前記取付パネルに取り付ける際、前記取付パネルの態様に応じて、前記嵌合凸部又はねじ止め部のいずれかを選択して前記収納部から突出させて使用可能としたことを特徴とする。
請求項２に記載の発明は、請求項１の発明において、ブレーカの端部に収納部を設けるとともに、該収納部内に、一方に嵌合凸部を、他方にねじ止め部を備えてなるブロック状の取付片を軸支し、該取付片を回動させることによって、前記嵌合凸部及びねじ止め部のいずれか一方を選択して前記収納部から外方へと突出可能としたことを特徴とする。
請求項３に記載の発明は、請求項１又は２の発明において、前面側に二次側接続端子を備えるブレーカにあっては、ブレーカの前面下端に嵌合凸部を突出可能に備える一方、取付パネルの前端縁を下方へと湾曲させ、該取付パネルの湾曲部に窓部を開口するとともに、嵌着部としての固定フックを、前記湾曲部に前記窓部から前方へと突出するように、且つ、前記嵌合凸部に嵌着する起立位置と、前記嵌合凸部との嵌着を解除する傾倒位置との間で回動自在に設け、さらに前記固定フックの軸部を前記湾曲部内面にて支持したことを特徴とする。
【発明の効果】
【００１１】
本発明によれば、ブレーカに、取付パネルに設けられる嵌着部に嵌合可能な嵌合凸部と、ねじを挿入可能な挿入孔を有するねじ止め部とを設け、ブレーカを取付パネルに取り付ける際、取付パネルの態様に応じて、嵌合凸部又はねじ止め部のいずれかを選択して使用可能としている。したがって、合成樹脂部材同士の嵌合・嵌着を利用した簡易な取り付けを行いたい場合、及びねじによる確実な取り付けを行いたい場合のどちらの場合であっても同じブレーカを使用することができる。すなわち、状況に応じて作業現場で固定方法を選択する際に、取付態様に応じて専用の構造を備えたブレーカをそれぞれ用意する必要がないため、汎用性に富み、ブレーカの固定にかかる手間やコストを抑えることができる。
また、ブレーカに、嵌合凸部とねじ止め部とを収納する収納部を設けるとともに、嵌合凸部及びねじ止め部をそれぞれ収納部から外方へと突出可能とし、嵌合凸部及びねじ止め部の使用に際しては、使用する側を収納部から突出させるようにしている。したがって、取り付けに使用しない側を収納部内に収納しておけば、取付パネル上に複数のブレーカを隣接して取り付けるような場合であっても邪魔になることはない。その上、嵌合凸部やねじ止め部の不用意な破損等を防止することもできる
さらに、請求項２の発明によれば、ブレーカの端部に収納部を設けるとともに、該収納部内に、一方に嵌合凸部を、他方にねじ止め部を備えてなるブロック状の取付片を軸支し、該取付片を回動させることによって、嵌合凸部及びねじ止め部のいずれか一方を選択して前記収納部から外方へと突出可能としている。したがって、少ない部品点数のより簡易な構成で、ブレーカ取付構造を構成可能であるし、嵌合凸部やねじ止め部の突出及び収納動作をよりスムーズに行うことができる。
さらにまた、請求項３の発明によれば、固定フックを起立させたり傾倒させたりするだけで、ブレーカの固定及び取り外しを行うことができるため、ブレーカを簡単な作業で且つ確実に取付パネルに固定することができる。また、取付パネルの前端縁を下方へと湾曲するように形成し、取付パネルの前端側がブレーカの二次側へと出っ張らないようにしている。したがって、二次側接続端子への電線結線等の邪魔とならないし、パネル前端により電線等を傷つける心配もない。加えて、取付パネルの湾曲部に窓部を設け、固定フックを窓部から前方へと突出するように設けるとともに、固定フックの軸部を湾曲部内側にて支持している。したがって、取付パネルに複雑な支持機構等を設けることなく、固定フックをスムーズに回動可能に支持することができる。
【発明を実施するための最良の形態】
【００１２】
以下、本発明の一実施形態となるブレーカ取付構造について図面を基に説明する。
【００１３】
図１（ａ）は、固定フック１１によりブレーカ１を取付パネル２に取り付ける様子を示す説明斜視図であり、図１（ｂ）は、ブレーカ１を取り付けた状態を示す説明斜視図である。また、図２（ａ）は、固定フック１１によりブレーカ１を取付パネル２に取り付ける様子を示す説明断面図であり、図２（ｂ）は、ブレーカ１の底面を示す説明図である。さらに、図３は、取付片３を回動させる様子を示す説明図である。尚、ブレーカ１の取付片３側を、ブレーカ１の前側として説明する。
【００１４】
ブレーカ１は、後面に一次側接続端子４ａ、４ａ・・を、前面に二次側（電線接続側）接続端子４ｂ、４ｂを備えたものであって、その前面下部には後述する取付片３を収納した収納空間（収納部）１０が設けられている。また、ブレーカ１の底面には、後方へと折れ曲がるように形成されたフック状の係止片６が一体的に突設されている。
【００１５】
取付片３は、合成樹脂により形成された細長いブロック状の部材であって、一方側には嵌合凸部５が、他方側には挿入孔８を有するねじ止め部７がそれぞれ設けられている。該取付片３は、図３に示す如く、収納空間１０内に設けられたブレーカ１の左右方向に平行な軸９を中心として回動可能に設置されており、嵌合凸部５又はねじ止め部７のいずれかをブレーカ１の前面（すなわち、収納空間１０）から前方へと突出した状態とする（機能位置に位置させる）ことができる。尚、取付片３の一方が突出した状態にある際、取付片３の他方は収納空間１０内に収納された状態となっている（収納位置に位置する）。
【００１６】
一方、取付パネル２は、薄板状に形成された金属板であって、ブレーカ１の底面に設けられた係止片６を嵌入可能な係止孔１２が穿設されている。また、取付パネル２の前端縁は下方へと湾曲するように形成されており、該湾曲部には窓部１３が開口形成されている。そして、該窓部１３から前方へと突出するように、ブレーカ１を固定するための固定フック（嵌着部）１１が設置されている。尚、取付パネル２の前端は、後方へと折り曲げ形成されており、該構成にて後述の如く固定フック１１を支持可能としている。
【００１７】
固定フック１１は、合成樹脂により形成された部材であって、取付片３の嵌合凸部５に嵌着可能な嵌合凹部を備えている。また、基端には軸部１４が設けられており、該軸部１４には、固定フック１１を起立させた際、取付パネル２の先端（折り曲げ部）に係止する係止段部１５が設けられている。このように構成される固定フック１１は、取付パネル２の湾曲部内側にて軸部１４が支持された状態で、略水平となるまで前方へと傾倒し、嵌合凸部５との嵌着が解除される傾倒位置と、略垂直となるまで起立し、嵌合凸部５と嵌着する起立位置との間を回動自在に設置されている。尚、図１においては、固定フック１１を一つしか図示していないが、上述したような固定フック１１、窓部１３、及び係止孔１２とを一組とした取付機構は、取付パネル２の左右方向に複数組設けられている。また、２１は、電源に接続された銅バーである。
【００１８】
ここで、ブレーカ１を取付パネル２に取り付ける方法について説明する。
まず、取付片３を回動させ、図１及び２に示す如く、嵌合凸部５を前方へと突出させた状態とする。一方、固定フック１１は傾倒位置に位置させておく。そして、該状態にて、ブレーカ１の係止片６を取付パネル２の所定の係止孔１２に嵌入させるとともに、嵌入状態にてブレーカ１を後方へとスライドさせ、係止片６を係止孔１２に係止させる。さらに、固定フック１１を起立させて嵌合凸部５に嵌着させることによって、ブレーカ１の取付パネル２上での前後方向へのスライド移動がロックされ、ブレーカ１は固定される。尚、固定フック１１を起立位置まで起立させた際、軸部１４に設けられた係止段部１５は、取付パネル２の前端（折り曲げ部）に係止した状態となっている。また、ブレーカ１を取り外したい場合には、固定フック１１を傾倒させればよい。
【００１９】
一方、固定フック１１を用いた嵌着による取り付けではブレーカ１にガタつきが発生した場合や、より確実（強固）に固定したい場合等には、ねじ１６を用いてブレーカ１を取り付けることも可能である。
そこで、ねじ１６を用いたブレーカ１の取付構造について、図４及び５を基に説明する。図４（ａ）は、ねじ１６によりブレーカ１を取付パネル２’に取り付ける様子を示す説明斜視図であり、図４（ｂ）は、ブレーカ１を取り付けた状態を示す説明斜視図である。また、図５（ａ）は、ねじ１６によりブレーカ１を取付パネル２’に取り付ける様子を示す説明断面図であり、図５（ｂ）は、ブレーカ１の底面を示す説明図である。
【００２０】
ねじ１６による取り付けを行う場合、図４及び５に示す如く、ブレーカ１において、取付片３は、ねじ止め部７側を前方へ突出させた状態とされる。ねじ止め部７には、ねじ１６を挿入可能な挿入孔８が穿設されている。
【００２１】
また、ねじ１６による取り付けを行う場合、取付パネル２’が用いられる。取付パネル２’は、薄板状に形成された金属板であって、取付パネル２同様、ブレーカ１の底面に設けられた係止片６を嵌入可能な係止孔１２が穿設されている。加えて、ブレーカ１の係止片６を係止孔１２に係止させた状態において、取付片３の挿入孔８に対応する位置には、ねじ１６を挿通可能な挿通孔１７が穿設されている。尚、このような係止孔１２及び挿通孔１７を一組としたブレーカ１の取付機構は、取付パネル２’の左右方向に複数組設けられている。
【００２２】
ここで、ブレーカ１を取付パネル２’に取り付ける方法について説明する。
まず、図３に示す如く、取付片３を回動させ、ねじ止め部７を前方へと突出させた状態とする。そして、ブレーカ１の係止片６を取付パネル２’の所定の係止孔１２に嵌入させるとともに、嵌入状態にてブレーカ１を後方へとスライドさせ、係止片６を係止孔１２に係止させる。該係止により、挿入孔８と挿通孔１７とが対応するように位置決めされる。そこで、ねじを挿入孔８から挿入して取付パネル２’に螺着することによって、ブレーカ１の取付パネル２’上での前後方向へのスライド移動がロックされ、ブレーカ１は所定位置にて固定される。
【００２３】
以上のようなブレーカ１の取付構造によれば、ブレーカ１に、一方側に嵌合凸部５を、他方側に挿入孔８を有するねじ止め部７をそれぞれ設けてなる取付片３を軸９を中心として回動可能に設けている。そして、図３に示すような回動操作によって、嵌合凸部５又はねじ止め部７のいずれかをブレーカ１の前面から前方へと突出した状態とすることができる。したがって、合成樹脂部材同士の嵌合・嵌着を利用した簡易な取り付けを行いたい場合、及びねじ１６による確実な取り付けを行いたい場合のどちらにも対応することができる。すなわち、状況に応じて作業現場で固定方法を選択することができ、極めて汎用性が高い上、取付態様に応じて専用の構造を備えたブレーカをそれぞれ用意する必要がないため、ブレーカ１の固定にかかる手間やコストを抑えることができる。
また、取付片３を、ブレーカ１に設けられた収納空間１０内に設置しており、取付片３の取り付けに使用しない側を収納空間１０内に収納するような構成としているため、取付パネル２、２’上にブレーカ１を隣接して複数取り付ける場合であっても、取付片３が邪魔になることはない。その上、取付片３の不用意な破損等を防止することもできる。
【００２４】
さらに、固定フック１１による取り付けを行うにあたっては、取付パネル２に設置された固定フック１１を起立させ、嵌合凸部５に嵌合させれば、ブレーカ１を固定することができる。一方、ブレーカ１を取り外したい場合には、固定フック１１を傾倒させればよい。すなわち、固定フック１１を起立させたり傾倒させたりするだけで、ブレーカ１の固定及び取り外しを行うことができるため、ブレーカ１を簡単な作業で且つ確実に取付パネル２に固定することができる。
さらにまた、固定フック１１を備える場合、取付パネル２の前端縁を下方へと湾曲するように形成することができる。このような構成とすることにより、取付パネル２の前端側がブレーカ１の二次側へ出っ張らないため、二次側接続端子４ｂ、４ｂへの電線結線等の邪魔とならないし、パネル前端により電線等を傷つける心配もない。
【００２５】
またさらに、取付パネル２の湾曲部に窓部１３を設けるとともにその前端を後方へと折り曲げる一方、固定フック１１を窓部１３から前方へと突出するように設けることにより、固定フック１１の軸部１４を湾曲部内側にて支持することができる。したがって、取付パネル２に複雑な支持機構等を設けることなく、固定フック１１をスムーズに回動可能に支持することができる。
加えて、固定フック１１の軸部１４に係止段部１５を設け、固定フック１１が起立位置（嵌着状態）にある際に、係止段部１５と取付パネル２の前端とが係止するように構成しているため、起立位置を超えて固定フック１１を回動させてしまい、固定フック１１が破損してしまうといった事故等を防止することができる。
【００２６】
また、ブレーカ１の取付態様に拘わらず、ブレーカ１の底面に設けられた係止片６を、取付パネル２に設けられた係止孔１２に嵌入させ、該嵌入状態にてブレーカ１を後方へとスライドさせることにより、ブレーカ１を係止状態にて所定の位置に設置することができる。したがって、取付パネル２に対するブレーカ１の固定を極めて確実なものとすることができる。
さらに、ねじ１６を用いた取り付けを行う場合にあっては、係止片６による係止により、取付片３の挿入孔８と取付パネル２の挿通孔１７とが自然と対応する位置に位置決めされるため、組立作業を極めてスムーズに行うことができる。
【００２７】
なお、本発明のブレーカ取付構造に係る構成は、上記実施形態の態様に何ら限定されるものではなく、本発明の趣旨を逸脱しない範囲で、必要に応じて適宜変更することができる。
【００２８】
たとえば、上記実施の形態では、一次側がプラグ形式（銅バーを挟むように一次側接続端子を差し込む形式）であるため、取付片を銅バー等の邪魔とならないよう二次側接続端子側に設けているが、取付片の設置位置は適宜変更可能であるし、複数の取付片を設けるような構成としても何ら問題はない。
また、取付片の回動方向についても、上記実施の形態では、左右方向を軸として上下方向に回動するものといるが、上下方向を軸に水平回動するような構成としてもよい。加えて、一の取付片に嵌合凸部とねじ止め部とを設けるのではなく、それぞれの機能部を有する二の取付片を、ブレーカから任意に突出可能に設けるような構成とすることも可能である。
【００２９】
さらに、ブレーカ側から突設した凸部に嵌合・係合する構成であれば、固定フックの形状やその設置に係る構造等も適宜変更可能である。一方、固定フックを有する取付パネルの前端縁の形状も適宜設計変更可能で、上記実施の形態の如く湾曲させた後に折り曲げるものに限られず、その前端が後方または上方を向くまで湾曲させてもよいし、湾曲部や折り曲げ部等を設けなくともよい。また、ブレーカの底面に設けた係止片の数も上記実施の形態に記載のものに何ら限定されることはなく、取付パネルにブレーカを位置決めするような凸部・突片を（必要であれば、ブレーカ側に凹部を）設けるようにしてもよい。加えて、フックピンやねじによる固定のみで十分な場合には、係止片等の構成を設けなくともよい。
【図面の簡単な説明】
【００３０】
【図１】（ａ）は、固定フックによりブレーカを取付パネルに取り付ける様子を示す説明斜視図であり、（ｂ）は、ブレーカを取り付けた状態を示す説明斜視図である。
【図２】（ａ）は、固定フックによりブレーカを取付パネルに取り付ける様子を示す説明断面図であり、（ｂ）は、ブレーカの底面を示す説明図である。
【図３】取付片を回動させる様子を示す説明図である。
【図４】（ａ）は、ねじによりブレーカを取付パネルに取り付ける様子を示す説明斜視図であり、（ｂ）は、ブレーカを取り付けた状態を示す説明斜視図である。
【図５】（ａ）は、ねじによりブレーカを取付パネルに取り付ける様子を示す説明断面図であり、（ｂ）は、ブレーカの底面を示す説明図である。
【図６】（ａ）は、ねじを利用した従来の取付構造を示す説明図であり、（ｂ）は、専用の弾性部材を利用した従来の取付構造を示す説明図である。
【図７】合成樹脂製の取付部材を利用した従来の取付構造を示す説明図である。
【符号の説明】
【００３１】
１・・ブレーカ、２、２’・・取付パネル、３・・取付片、４ａ・・一次側接続端子、４ｂ・・二次側接続端子、５・・嵌合凸部、６・・係止片、７・・ねじ止め部、８・・挿入孔、９・・軸、１０・・収納空間、１１・・固定フック、１２・・係止孔、１３・・窓部、１４・・軸部、１５・・係止段部、１６・・ねじ、１７・・挿通孔。
【図１】
0004723322.tif 000002
【図２】
0004723322.tif 000003
【図３】
0004723322.tif 000004
【図４】
0004723322.tif 000005
【図５】
0004723322.tif 000006
【図６】
0004723322.tif 000007
【図７】
0004723322.tif 000008